(57)【要約】【課題】血液指紋痕跡が残されている状況箇所に影響されることなく、簡便であり、かつ確実に付着している血液指紋痕跡を採取し得ることができる血液指紋採取シートを提供すること。【解決手段】基材シート上に血液指紋採取層を積層し、その表面を透明保護フィルムで被覆してなる血液指紋採取シートであって、当該血液指紋採取層として、水分含量が２０〜８０重量％であり、増粘剤（粘着力調整剤）としてポアクリル酸ナトリウムを含み、かつ有機酸にてｐＨを４〜８の範囲に調整してなる水性ゲル基剤層を使用したことを特徴とする血液指紋採取シートである。【選択図】          なし【特許請求の範囲】
【請求項１】
基材シート上に血液指紋採取層を積層し、その表面を透明保護フィルムで被覆してなる血液指紋採取シートであって、当該血液指紋採取層として、水分含量が２０〜８０重量％であり、増粘剤（粘着力調整剤）としてポリアクリル酸ナトリウムを含み、かつ有機酸にてｐＨを４〜８の範囲に調整してなる水性ゲル基剤層を積層したことを特徴とする血液指紋採取シート。
【請求項２】
血液指紋を採取・保存する方法であって、基材シート上に、水分含量が２０〜８０重量％であり、増粘剤（粘着力調整剤）としてポリアクリル酸ナトリウムを含み、かつ有機酸にてｐＨを４〜８の範囲に調整してなる水性ゲル基剤層からなる血液指紋採取層を積層し、その表面を透明保護フィルムで被覆してなる血液指紋採取シートを使用し、該シートの透明保護フィルムを剥離し、血液指紋痕跡に血液指紋採取層を貼着させることにより血液指紋を血液指紋採取層へ転写させ、この転写させた血液指紋採取層に、前記透明保護フィルムを再被覆することを特徴とする血液指紋を採取・保存する方法。
【発明の詳細な説明】
【０００１】
【発明の属する技術分野】
本発明は、傷害事件、殺人事件等の凶悪犯罪の現場に痕跡として残されている血液指紋の採取を目的とした血液指紋採取シート、ならびに該シートを使用した血液指紋の採取・保存方法に関する。
【０００２】
【従来の技術】
従来から、傷害事件、殺人事件等の凶悪犯罪の現場に痕跡として残されている血液指紋の採取方法としては、粉末法、ゼラチン紙等による直接剥離転写法、直接写真撮影法、ペーパーマッシュ法、ＴＭＢ（テトラメチルベンジン）試薬法等があり、これらの方法を現場の状況に応じ適宜選択して、血液指紋の採取が行われている。
【０００３】
また、血液指紋に限らない指紋を簡易的に採取する指紋採取シートが提案されている。例えば、透明プラスチックフィルムからなる基材上に、指紋定着層となるバインダー、フィラーおよび指紋定着性付与添加剤を含む層を設けたもの（特許文献１）、指紋痕跡を転写する粘着層としてウレタン系粘着層を設けたシート（特許文献２）などが提案されている。
【０００４】
【特許文献１】
特開平９−７５３２９
【特許文献２】
特開２００１−４０２９９
【０００５】
しかしながら、これらの方法あるいは提案されている方法では、痕跡として残されている血液指紋の種類（指紋痕跡が付着している材質、その色調）、または血液指紋痕跡の付着箇所の状況により、簡易、確実に血液指紋を採取できないことがある。
【０００６】
例えば、血液指紋痕跡の付着している材質が、白木や紙類等の粗面体の場合には、粉末法ではその採取が困難であり、また、ゼラチン紙を用いる直接剥離転写法においては、ゼラチン紙により血液指紋痕跡を湿潤させるときに、その一部が剥離し指紋痕跡を破壊する恐れがある。また、採取した血液指紋痕跡は、粉末で加工するために、一見して血液指紋かどうかわからない。さらに、直接剥離転写法の場合には、ガラスや金属等の滑らかな面上に血液指紋痕跡が残されている場合には、転写、採取されないことがある。
【０００７】
また、直接撮影法による血液指紋採取にあっては、血液指紋痕跡が付着している部分（材質）が、赤色系統や、暗色系統の色調を有する場合には、血液指紋と同系色のために撮影が困難である。ペーパーマッシュ法は、採取者の熟練した技術が必要であり、かつ掌紋のような大きな範囲の痕跡の採取は困難である。さらに、血液指紋痕跡が付着し、残された箇所（材質）から検討した場合、血液指紋痕跡の付着している面が湾曲面体上や凹凸面体上の場合は、上記した各採取法ともそこに残された血液指紋痕跡全体を、鮮明に採取することは困難である。
【０００８】
犯罪鑑識では、傷害事件、殺人事件等の凶悪犯罪の現場に痕跡として残されている血液指紋の情報を視覚化して採取し、その情報を捜査官に客観的に伝達して捜査の一助に供しなければならず、また、その後は証拠として確実に保存し得るものでなければならない。しかしながら上述した現状下では、いまだ十分なものとはいえず、したがって、血液指紋痕跡が残されている状況に影響されることなく、簡便でありながら確実に、残留されている血液指紋痕跡を採取し得る手段の開発が望まれている。
【０００９】
【発明が解決しようとする課題】
本発明は上述した現状を鑑み、血液指紋痕跡が残されている状況箇所に影響されることなく、簡便であり、かつ確実に付着している血液指紋痕跡を採取し得ることができる血液指紋採取シートを提供することを課題とする。
また本発明は、かかる血液指紋採取シートを使用した血液指紋痕跡の採取・保存方法を提供することを課題とする。
【００１０】
かかる課題を解決するために、本発明者らは、血液指紋痕跡として残留している血液が、仮に乾燥した状態のものであっても水で湿潤されることから、血液指紋の採取方法として使用する血液指紋採取シートとして、医療用湿布剤における含水性ゲル状粘着膏体の適用について着目した。すなわち、医療用湿布剤に使用されている含水ゲル膏体の含水率が、乾燥した状態の残留血液指紋における血液を湿潤させるのに良好な含水率であり、かつ、膏体の粘着性により湿潤された血液指紋痕跡が膏体層に良好に転写されるのではないかと考え検討を行った。
【００１１】
その結果、柔軟性を有する湿布剤の粘着性ゲル膏体は、種々の状態における残留血液指紋、例えば、湾曲面体上や凹凸面体上に付着・残留している血液指紋に対して、極めて鮮明に膏体層に転写する能力があり、良好な血液指紋採取シートになり得ることを確認した。
【００１２】
しかしながら、血液指紋採取シートとして医療用の湿布剤に使用されている含水ゲル膏体を、そのまま血液指紋採取シートの血液指紋採取層に転用した場合には、含水ゲル膏体の粘着力の強度が過度であるために、血液指紋が付着している材質までが、採取層側に剥離付着する恐れがある。また、含水ゲル膏体層の含水率が多い場合には、血液が多量の水分のために滲んでしまし、鮮明に採取できない恐れが認められた。
【００１３】
そこで本発明者らは、上記問題点を解決すべく鋭意検討したところ、含水ゲル膏体における水分含量を２０〜８０重量％に調整し、さらに膏体に粘度を付与する増粘剤としてポリアクリル酸ナトリウムを使用して粘度調整を行うと共に、膏体のｐＨを４〜８に調整した粘着剤層を血液指紋採取層として使用した場合に、極めて良好に血液指紋を採取、膏体層に転写し、その状態で保存し得ることを確認し、本発明を完成させるに至った。
【００１４】
【課題を解決するための手段】
したがって、前述の課題を解決するための本発明は、基材シート上に血液指紋採取層を積層し、その表面を透明保護フィルムで被覆してなる血液指紋採取シートであって、当該血液指紋採取層として、水分含量が２０〜８０重量％であり、増粘剤（粘着力調整剤）としてポリアクリル酸ナトリウムを含み、かつ有機酸にてｐＨを４〜８の範囲に調整してなる水性ゲル基剤層を積層したことを特徴とする血液指紋採取シートである。
【００１５】
また、本発明は上記の血液指紋採取シートを使用した血液指紋の採取方法を提供するものであり、具体的には、基材シート上に、水分含量が２０〜８０重量％であり、増粘剤（粘着力調整剤）としてポリアクリル酸ナトリウムを含み、かつ有機酸にてｐＨを４〜８の範囲に調整してなる水性ゲル基剤層からなる血液指紋採取層を積層し、その表面を透明保護フィルムで被覆してなる血液指紋採取シートを使用し、該シートの透明保護フィルムを剥離し、血液指紋痕跡に血液指紋採取層を貼着させることにより血液指紋を血液指紋採取層へ転写させ、この転写させた血液指紋採取層に、前記透明保護フィルムを再被覆することを特徴とする血液指紋を採取・保存する方法である。
【００１６】
すなわち本発明は、医療用の湿布剤の粘着性含水ゲル膏体である基剤成分として通常使用されている粘着性成分であるアクリル酸系化合物の中で、ポリアクリル酸およびポリアクリル酸共重合体の両者を除外し、ポリアクリル酸ナトリウムを使用することにより安定、かつ良好なゲル性能を発揮させ、さらに基剤自体に適度な保型性、および適度な粘着力と凝集力付与し、その基剤成分を支持体シートに積層させ、それにより種々の状態での残存している血液指紋痕跡から、鮮明な指紋の採取を可能とした点に特徴があるものである。
【００１７】
【発明の実施の形態】
上記したように本発明は、血液指紋採取層として、水分含量が２０〜８０重量％であり、増粘剤（粘着力調整剤）としてポリアクリル酸ナトリウムを含み、かつ有機酸にてｐＨを４〜８の範囲に調整してなる水性ゲル基剤層を基材シート上に設け（積層させ）、その表面を透明保護フィルムで被覆してなる血液指紋採取シートである。
【００１８】
使用する基材シートとしては、柔軟性を有するものであって、当該基材シート上に積層される血液指紋採取層を安定して保持するものであれば特に限定されない。具体的には、紙、織布、不織布、プラスチックフィルム等を挙げることができる。なかでも指紋採取シートとしての柔軟性を確保するために、不織布を使用するのが好ましい。かかる柔軟性を有する不織布を基材シートとして使用することにより、凹凸面体上に残存している血液指紋に対しても良好に適用し得るものとなる。
【００１９】
また、本発明が提供する血液指紋採取シートにおける血液指紋採取層として積層させる水性ゲル基剤層の水分含量は、２０〜８０重量％であり、より好ましくは３０〜６０重量％とするのがよい。水分の含量が２０重量％に満たない場合には、例えば乾燥した状態での血液指紋を十分に湿潤させたうえで血液指紋採取層に転写することができず、また水分の含量が８０重量％を超える場合には、血液指紋採取層自体がダレてしまし、血液指紋採取シートとして好ましいものとならない。
【００２０】
一方、本発明の血液指紋採取シートにおける血液指紋採取層を形成する水性ゲル基剤層を構成する成分であるポリアクリル酸ナトリウムは、血液指紋採取層に増粘性、粘着性、凝集力を付与するものである。その配合量は、０．５〜１５重量％、好ましくは１〜１０重量％とするのがよい。０．５重量％に満たない場合には、血液指紋採取層に十分な粘着性を付与することができず、１５重量％を超える場合には、粘着性が強すぎて、血液指紋が残留している箇所（材質）を含め剥離させてしまう恐れがあり、好ましいものではない。
【００２１】
本発明が提供する血液指紋採取シートにおいて積層させる血液指紋採取層は、転写後の血液指紋を安定に保存する為に、そのｐＨを４〜８、好ましくは４．５〜７．５の範囲内に調整されるのがよい。ｐＨが４に満たない場合には、血液指紋採取層の酸性度が強すぎて、転写した血液指紋を変性させる恐れがあり、またｐＨが８を超える場合にも、そのアルカリ性により転写した血液指紋を変性させる恐れがあり、好ましいものではない。
【００２２】
かかるｐＨを調整するためには、有機酸を使用してｐＨ調整を行うのが好ましく、そのような有機酸としては、酢酸、クエン酸、コハク酸、酒石酸、乳酸、マレイン酸、リンゴ酸、フマル酸などが挙げられ、特にリンゴ酸、酒石酸、が好ましく使用される。その場合の配合量は、所望のｐＨを確保しうる量であればよく、例えば、０．１〜５重量％の範囲内で、適宜増減し使用することができる。
【００２３】
さらに本発明が提供する血液指紋採取シートにおいては、血液指紋採取層として使用する基剤中には保湿剤、および／または血液軟化剤として、グリセリン、ソルビトール、プロピレングリコール、ポリエチレングリコール、１，３−ブタンジオール等を単独もしくは２種以上配合させることもできる。保湿剤としてこれらの成分を血液指紋採取層に使用する場合には、その配合量は１０〜６０重量％程度であり、より好ましくは２０〜４０重量％である。
【００２４】
また、本発明が提供する血液指紋採取シートにおいては、さらに増粘性・凝集性を付与するために通常用いられる他の増粘剤、例えばカルボキシメチルセルロースナトリウム、メチルセルロース等を添加することもでき、その配合量は０．１〜１５重量％、好ましくは１〜５重量％である。また、転写された血液指紋の保存性をより十分なものとするために、保存剤、例えばパラオキシ安息香酸エステル類等のパラベン類、ソルビン酸等を添加させておくのが好ましい。
【００２５】
さらにより鮮明な血液指紋の転写を確保するために、血液指紋採取層に無機充填剤、例えばカオリン、酸化チタン等を含有させ、採取層自体を半透明〜白色の採取層としておくのが好ましい。さらに、適宜、架橋剤として水酸化アルミニウム、硫酸アルミニウム、酸化マグネシウム、あるいは安定化剤とし金属封鎖剤、例えばエデト酸ナトリウム、クエン酸等を適宣組み合わせて配合することもできる。
【００２６】
本発明が提供する血液指紋採取シートの製造は、例えば、上記成分をよく混合し、例えばペースト状に調製した後、これを紙、織布、不織布、プラスチックフィルム等の支持体（基材）上に所望の厚さで塗付・積層し、さらにこれに透明の保護フィルム、例えば、ポリエチレンフィルムを被覆し、所望の大きさに裁断することにより製造することができる。血液指紋採取層として基材シート上に積層させる層の厚さは一概に限定し得ないが、０．５〜２ｍｍ程度であれば十分である。
【００２７】
かくして製造された本発明が提供する血液指紋採取シートは、血液指紋採取層が適度の含水率と粘着性を有する含水ゲル基剤層で構成され、支持体としての基材が柔軟性を有する不織布等で構成されていることより、例えば乾燥した状態の残留血液指紋における血液を湿潤させ、血液指紋採取層に良好に転写されるものであり、また、柔軟性を有するゆえに、湾曲面体上や凸凹面体上に付着・残留している血液指紋に対しても極めて鮮明にし得る能力を発揮するものとなる。
【００２８】
【実施例】
以下に、実施例等を挙げて本発明をより具体的に説明するが、本発明は、以下の記載によりなんら限定されないことはいうまでもない。
なお、実施例中における（部）は、特に断らない限り重量部である。
【００２９】
実施例１：
下記の処方による血液指紋採取層を得た。
2004187859.tif 000002
【００３０】
精製水２０部に、ゼラチンおよびポリビニルアルコールを加え、６０℃に加温溶解した。この液に、Ｄ−ソルビトール液にカオリン、酸化チタンおよび精製水残部を分散した液を加え混合する。更に、グリセリンにポリアクリル酸ナトリウム、カルボキシメチルセルロースナトリウム、尿素、エデト酸ナトリウム、酒石酸、ヒマシ油、ポリソルベート８０、水酸化アルミニウムおよびパラオキシ安息香酸メチルを分散した液を加えて、均一になるまで充分練合する。得られた粘着性の水性ゲル化基剤を、不織布上に５００ｇ／ｍ２で展延し、ゲル基材上に透明の保護フィルムを被覆した後、所定の大きさに裁断して、血液指紋採取シートを得た。なお膏体のｐＨは、５．２を保持していた。
【００３１】
実施例２：
下記の処方による血液指紋採取層を得た。
2004187859.tif 000003
【００３２】
実施例１と同様の手段により、血液指紋採取シートを得た。なおこの膏体のｐＨは、５．３を保持していた。
【００３３】
実験例１：血液指紋採取効果の確認試験
本発明の血液指紋採取シートの特異的効果を確認するため、前記実施例で得られた血液指紋採取シートを使用し、実際の血液指紋の採取試験を、以下の方法により検討した。
なお、比較例として従来の血液指紋の採取方法（粉末法、直接剥離転写法）による採取試験を行った。
【００３４】
（１）血液指紋痕跡の設定
ヒトの血液指紋痕跡を、ガラス板、アルミサッシ、合成樹脂板、金属（包丁の刃）、金属（スチール製品）、化粧合板、白木、レザー、新聞紙の各部材上に押捺し、設けた。
（２）試験血液指紋採取シート
実施例１で得た血液指紋採取シートを、１０×１０ｃｍに裁断したものを使用した。
血液指紋採取方法は、以下のとおりである。すなわち、血液指紋採取シートの保護フィルムを剥離し、気泡が入らないように採取シートを曲げながら血液指紋痕跡上に貼付し、数秒間均一に加圧し、血液指紋採取層への指紋の転写状況を確認しながら剥離し、転写が完了した血液指紋採取層上に保護フィルムを気泡が入らないように貼付した。
【００３５】
（３）比較対照の血液指紋採取方法（従来方法）
（ａ）粉末法
粉末の種類として、アルミニウム粉末、グレー石松子粉末（混合粉末）および黒色粉末を用いた粉末法による。
（ｂ）直接剥離転写法
転写テープとして、ゼラチン紙、ポリプロピレン（ＰＰ）テープ、ビニロンテープを使用した直接剥離転写法による。
【００３６】
（４）血液指紋採取の結果
上記の血液指紋採取により得られた指紋の採取状況を表１に示した。
【００３７】
【表１】
2004187859.tif 000004
【００３８】
評価の基準は、以下のとおりである。
◎：採取された血液指紋が非常に鮮明である。
○：採取された血液指紋が鮮明である。
△：採取された血液指紋が不鮮明である。
×：血液指紋を採取することが不可能。
【００３９】
本発明の血液指紋採取シートは、従来の血液指紋採取方法に比較して、血液指紋痕跡が残留している材質、状況に影響されることなく、鮮明に血液指紋を転写し得ることが確認された。
【００４０】
実験例２：時間経過後の血液指紋採取の確認試験
実験例１により本発明が提供する血液指紋採取シートには、良好な血液指紋採取効果が確認されたので、時間経過後の血液指紋の採取効果を以下の方法により検討した。
【００４１】
（１）血液指紋痕跡の設定
ヒトの血液指紋痕跡を、ガラス板、アルミサッシ、合成樹脂板、金属（包丁の刃）、金属（スチール製品）、化粧合板、白木、レザー、新聞紙の各部材上に押捺後、５時間、３、２０、３０および４０日間室温に保存したものを設けた。
（２）試験血液指紋採取シート
実施例１で得た血液指紋採取シートを、１０×１０ｃｍに裁断したものを使用した。
血液指紋採取方法は、以下のとおりである。すなわち、血液指紋採取シートの保護フィルムを剥離し、気泡が入らないように採取シートを曲げながら血液指紋痕跡上に貼付し、数秒間均一に加圧し、血液指紋採取層への指紋の転写状況を確認しながら剥離し、転写が完了した血液指紋採取層上に保護フィルムを気泡が入らないように貼付した。
【００４２】
（３）血液指紋採取の結果
上記の血液指紋採取により得られた指紋の採取の可否を表２示した。
【００４３】
【表２】
2004187859.tif 000005
【００４４】
評価の基準は、以下のとおりである。
○：血液指紋を採取することが可能。
×：血液指紋を採取することが不可能。
【００４５】
上記の表に示した結果から明らかなように、本発明の血液指紋採取シートは、相当の日数が経過した状況の血液指紋であっても、鮮明に転写することができるものであった。
【００４６】
実験例３：希釈血液指紋からの血液指紋の顕在化確認試験
本発明の血液指紋採取シートの特異的効果をさらに確認するため、前記実施例で得られた血液指紋採取シートを使用し、希釈した血液指紋の採取試験を、以下の方法により検討した。
【００４７】
（１）血液指紋痕跡の設定
ガラス板、アルミサッシ、合成樹脂板、白紙および段ボール紙の各部材上に、ヒトの血液を１０，２０，５０，１００および２００容量倍に希釈し、指紋痕跡を押捺し、設けた。
（２）試験血液指紋採取シート
実施例１で得た血液指紋採取シートを、１０×１０ｃｍに裁断したものを使用した。
血液指紋採取方法は、以下のとおりである。すなわち、血液指紋採取シートの保護フィルムを剥離し、気泡が入らないように採取シートを曲げながら血液指紋痕跡上に貼付し、数秒間均一に加圧し、血液指紋採取層への指紋の転写状況を確認しながら剥離し、転写が完了した血液指紋採取層上に保護フィルムを気泡が入らないように貼付したのち、ＴＭＢ（テトラメチルベンジン）試薬煮より血液指紋の発色および顕在化を確認した。
【００４８】
（３）血液指紋採取の結果
上記の血液指紋採取により得られた指紋の採取の可否を表３示した。
【００４９】
【表３】
2004187859.tif 000006
【００５０】
評価の基準は、以下のとおりである。
○：血液指紋を採取することが可能。
△：一部の血液指紋を採取することが可能。
×：血液指紋を採取することが不可能。
【００５１】
上記表中に示した結果からも判明するように、本発明の血液指紋採取シートおよび血液指紋採取方法により、血液指紋の残留材質が滑面状態である場合には、血液の２００容量倍の希釈濃度であっても血液指紋を採取することが可能であって、また、血液指紋の残留材質が粗面状態である場合でも１０容量倍の希釈濃度であっても血液指紋を採取することができた。
したがって、相当希釈な血液指紋状態であっても、本発明の血液指紋採取シートを使用することにより、血液指紋の採取、発色、顕在化ができるものであり、例えば、雨などにより血液が流され、希釈された状態での血液指紋の採取を可能にするものである。
【００５２】
【発明の効果】
以上記載のように、本発明が提供する血液指紋採取シートは、医療上使用されている湿布剤としての含水膏体を応用したものであり、血液指紋採取層が適度の含水率と粘着性を有する含水ゲル基剤層で構成されていること、また、支持体としての基材が柔軟性を有する不織布等で構成されていることより、例えば乾燥した状態の残留血液指紋における血液を湿潤させ、血液指紋採取層に良好に転写されるものである。
【００５３】
また、血液指紋採取シートとして適度の柔軟性を有することより、湾曲面体上や凸凹面体上に付着・残留している血液指紋に対しても極めて鮮明にし得る能力を発揮するものとなる。
【００５４】
さらに、血液指紋採取層に適宜血液安定剤、保存剤、防腐剤等を配合させておくことも可能であり、採取した血液指紋を長期にわたり保存させておける利点を有している。また、極めて微量の血液指紋であっても良好に血液指紋採取層へ転写・保存させることができ、傷害事件、殺人事件等の凶悪犯罪の現場に痕跡として残されている血液指紋の情報を視覚化して採取し、その情報を捜査官に客観的に伝達して捜査の一助に供することができ、その後は証拠として確実に保存し得るものである利点を有している。